(57)【要約】【課題】従来のテーブルには、間仕切り装置を中心として二等分した左右のスペースに配置した中央の左テーブルセットの前後に、前方左テーブルセットと後方左テーブルセットを配置し、中央の右テーブルセットの前後に前方右テーブルセットと後方左テーブルセットを配置し、間仕切り装置には前方間仕切りおよび後方間仕切りが出入れ自在に収納されている構造のものがある。しかし、間仕切り装置の構成が複雑であるという問題がある。【解決手段】間仕切り装置には前方間仕切りおよび後方間仕切りを出入れ自在に収納すると共に、前方間仕切りおよび後方間仕切りのロックを、左中央のテーブルセットの前後に設けた植栽台および右中央のテーブルセットの前後に設けた植栽台に対して行うよう構成されている。【選択図】        図１
2004169286.tif 000002
【特許請求の範囲】
【請求項１】
テーブル席部（２）と間仕切り装置（３）から構成され、テーブル席部（２）は、テーブル用スペース群（４）とテーブルセット（５）から構成され、
テーブル用スペース群（４）は、所定幅と長さをもって形成された間仕切り装置用スペース（４Ａ）を中心に、左前方のスペース部（４Ｂ）と、左中央のスペース部（４Ｃ）と、左後方のスペース部（４Ｄ）と、右前方のスペース部（４Ｅ）と、右中央のスペース部（４Ｆ）と、右後方のスペース部（４Ｇ）から構成され、
テーブルセット（５）は、各スペース部（４Ｂ、４Ｃ、４Ｄ、４Ｅ、４Ｆ、４Ｇ）内における中央に設けられたテーブル（５Ａ）と、このテーブルを中心に設けられた前方の椅子（５Ｂ）と後方の椅子（５Ｃ）から構成され、
左前方のスペース部（４Ｂ）と左中央のスペース部（４Ｃ）との間に左前植栽台（５Ｄ）、左中央のスペース部（４Ｃ）と左後方のスペース部（４Ｄ）との間に左後植栽台（５Ｄ）、右前方のスペース部（４Ｅ）と右中央のスペース部（４Ｆ）との間に右前植栽台（５Ｄ）、右中央のスペース部（４Ｆ）と右後方のスペース部（４Ｇ）との間に右後植栽台（５Ｄ）が配設され、これら植栽台（５Ｄ）は前後壁（５Ｄ１、５Ｄ１）と左右壁（５Ｄ２、５Ｄ２）を平面方形に連結して構成され、
間仕切り装置（３）は、間仕切り装置用スペース（４Ａ）に配設された戸袋兼間仕切り（６）と、戸袋兼間仕切りに出入れ自在に収納されている前方間仕切り（７）および後方間仕切り（８）と、ロック部（９）から構成され、ロック部（９）は前方間仕切りおよび後方間仕切りと植栽台間に設けられていることを特徴とするテーブル席における可動式間仕切り装置。
【請求項２】
請求項１記載のテーブル席における可動式間仕切り装置を用いて下記のように構成されていることを特徴とするテーブル席における可動式間仕切り装置の使用方法。
Ａ．戸袋兼間仕切り（６）内に前方間仕切り（７）と後方間仕切り（８）の双方あるいは一方を収納して使用する。
Ｂ．戸袋兼間仕切り（６）内から前方間仕切り（７）と後方間仕切り（８）の双方あるいは一方を引出して使用する。
【請求項３】
テーブル席部（１１）と請求項１記載のテーブル席における可動式間仕切り装置における間仕切り装置（３）から構成され、テーブル席部（１１）は、テーブル用スペース群（４）とテーブルセット（１２）から構成され、
テーブル用スペース群（４）は、所定幅と長さをもって形成された間仕切り装置用スペース（４Ａ）を中心に、左前方のスペース部（４Ｂ）と、左中央のスペース部（４Ｃ）と、左後方のスペース部（４Ｄ）と、右前方のスペース部（４Ｅ）と、右中央のスペース部（４Ｆ）と、右後方のスペース部（４Ｇ）から構成され、左前方のスペース部（４Ｂ）と左中央のスペース部（４Ｃ）との間に左前植栽台（５Ｄ）、左中央のスペース部（４Ｃ）と左後方のスペース部（４Ｄ）との間に左後植栽台（５Ｄ）、右前方のスペース部（４Ｅ）と右中央のスペース部（４Ｆ）との間に右前植栽台（５Ｄ）、右中央のスペース部（４Ｆ）と右後方のスペース部（４Ｇ）との間に右後植栽台（５Ｄ）が配設され、これら植栽台（５Ｄ）は前後壁（５Ｄ１、５Ｄ１）と左右壁（５Ｄ２、５Ｄ２）を平面方形に連結して構成され、
テーブルセット（１２）は、左前方のスペース部（４Ｂ）内に配設された左前方のテーブルセット（１３）と右前方のスペース部（４Ｅ）内に配設された右前方のテーブルセット（１４）、左中央のスペース部（４Ｃ）内に配設された左中央のテーブルセット（１３）と右中央のスペース部（４Ｆ）内に配設された右中央のテーブルセット（１５）、左後方のスペース部（４Ｄ）内に配設された左後方のテーブルセット（１３）と右後方のスペース部（４Ｇ）内に配設された右後方のテーブルセット（１４）から構成され、右前方のテーブルセット（１４）のスライドテーブル板が左前方のテーブルセット（１３）に対して移動自在に構成され、右後方のテーブルセット（１４）のスライドテーブル板が左後方のテーブルセット（１３）に対して移動自在に構成されていることを特徴とするテーブル席における可動式間仕切り装置。
【請求項４】
請求項３記載のテーブル席における可動式間仕切り装置を用いて下記のように構成されていることを特徴とするテーブル席における可動式間仕切り装置の使用方法。
Ａ．左前方のテーブルセット（１３）と右前方のテーブルセット（１４）、左後方のテーブルセット（１３）と右後方のテーブルセット（１４）とを連結した状態で使用する場合、間仕切り装置（３）における戸袋兼間仕切り（６）内に前方間仕切り（７）と後方間仕切り（８）を収納した後、右前方のテーブルセット（１４）と右後方のテーブルセット（１４）におけるスライドテーブル板のテーブル板を、左前方のテーブルセット（１３）と左後方のテーブルセット（１３）に対してスライド当接させ使用する。
Ｂ．左前方のテーブルセット（１３）と右前方のテーブルセット（１４）、左後方のテーブルセット（１３）と右後方のテーブルセット（１４）とを分離した状態で使用する場合、間仕切り装置（３）における戸袋兼間仕切り（６）から前方間仕切り（７）と後方間仕切り（８）を引出し使用する。
【発明の詳細な説明】
【０００１】
【発明の属する技術分野】
本発明は、テーブル席における可動式間仕切り装置とテーブル席における可動式間仕切り装置の使用方法に関するものである。
【０００２】
【従来の技術】
本出願人は先に、特願２００１−２７１８９６として、概略下記のような「テーブル席における可動式間仕切り装置」を出願している。
前後方向の間仕切り装置を中心として、当該間仕切り装置の左方に中央の左テーブルセット群を、右方に中央の右テーブルセット群を配置し、中央の左テーブルセット群の前後に前方左テーブルセット群と後方左テーブルセット群を配置し、中央の右テーブルセット群の前後に前方右テーブルセット群と後方左テーブルセット群を配置し、間仕切り壁には前方間仕切りと後方間仕切りが設けられ、前方間仕切りは前方左テーブルセット群と前方右テーブルセット群との間に出入れ自在に構成され、後方間仕切りは後方左テーブルセット群と後方右テーブルセット群との間に出入れ自在に構成されている。
この結果、前方左テーブルセット群と前方右テーブルセット群および後方左テーブルセット群と後方右テーブルセット群を１グループとして使用したり、左右別個のグループとして使用できることになる。
なお、テーブルセット群は、テーブルとこのテーブルの前後に配置された例えば２個ずつの椅子から構成されている。
【０００３】
【発明が解決しようとする課題】
従来の技術で述べたものにあっては、一応下記のような問題点を指摘することができる。
Ａ．間仕切り装置の構成が比較的複雑で製造コストが高くなる傾向がある。
Ｂ．前方間仕切りと後方間仕切りを間仕切り装置内に収納した場合、前方左テーブルセット群と前方右テーブルセット群との間、および後方左テーブルセット群と後方右テーブルセット群との間に隙間ができる。
【０００４】
本発明は、従来の技術の有するこのような問題点に鑑みなされたものであり、その目的とするところは、上述の問題を解決できるものを提供しようとするものである。
【０００５】
【課題を解決するための手段】
請求項１記載の発明は、テーブル席部２と間仕切り装置３から構成され、テーブル席部２は、テーブル用スペース群４とテーブルセット５から構成され、
Ａ．テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成され、
Ｂ．テーブルセット５は、各スペース部４Ｂ、４Ｃ、４Ｄ、４Ｅ、４Ｆ、４Ｇ内における中央に設けられたテーブル５Ａと、このテーブルを中心に設けられた前方の椅子５Ｂと後方の椅子５Ｃから構成され、
Ｃ．左前方のスペース部４Ｂと左中央のスペース部４Ｃとの間に左前植栽台５Ｄ、左中央のスペース部４Ｃと左後方のスペース部４Ｄとの間に左後植栽台５Ｄ、右前方のスペース部４Ｅと右中央のスペース部４Ｆとの間に右前植栽台５Ｄ、右中央のスペース部４Ｆと右後方のスペース部４Ｇとの間に右後植栽台５Ｄが配設され、これら植栽台５Ｄは前後壁５Ｄ１、５Ｄ１と左右壁５Ｄ２、５Ｄ２を平面方形に連結して構成され、
間仕切り装置３は、間仕切り装置用スペース４Ａに配設された戸袋兼間仕切り６と、戸袋兼間仕切りに出入れ自在に収納されている前方間仕切り７および後方間仕切り８と、ロック部９から構成され、ロック部９は前方間仕切りおよび後方間仕切りと植栽台間に設けられていることを特徴とするものである。
【０００６】
請求項２記載の発明は、請求項１記載の発明を用いて下記のように構成されていることを特徴とするものである。
Ａ．戸袋兼間仕切り６内に前方間仕切り７と後方間仕切り８の双方あるいは一方を収納して使用する。
Ｂ．戸袋兼間仕切り６内から前方間仕切り７と後方間仕切り８の双方あるいは一方を引出して使用する。
【０００７】
請求項３記載の発明は、テーブル席部１１と請求項１記載の発明における間仕切り装置３から構成され、テーブル席部１１は、テーブル用スペース群４とテーブルセット１２から構成され、
Ａ．テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成され、左前方のスペース部４Ｂと左中央のスペース部４Ｃとの間に左前植栽台５Ｄ、左中央のスペース部４Ｃと左後方のスペース部４Ｄとの間に左後植栽台５Ｄ、右前方のスペース部４Ｅと右中央のスペース部４Ｆとの間に右前植栽台５Ｄ、右中央のスペース部４Ｆと右後方のスペース部４Ｇとの間に右後植栽台５Ｄが配設され、これら植栽台５Ｄは前後壁５Ｄ１、５Ｄ１と左右壁５Ｄ２、５Ｄ２を平面方形に連結して構成され、
Ｂ．テーブルセット１２は、左前方のスペース部４Ｂ内に配設された左前方のテーブルセット１３と右前方のスペース部４Ｅ内に配設された右前方のテーブルセット１４、左中央のスペース部４Ｃ内に配設された左中央のテーブルセット１３と右中央のスペース部４Ｆ内に配設された右中央のテーブルセット１５、左後方のスペース部４Ｄ内に配設された左後方のテーブルセット１３と右後方のスペース部４Ｇ内に配設された右後方のテーブルセット１４から構成され、右前方のテーブルセット１４のスライドテーブル板が左前方のテーブルセット１３に対して移動自在に構成され、右後方のテーブルセット１４のスライドテーブル板が左後方のテーブルセット１３に対して移動自在に構成されていることを特徴とするものである。
【０００８】
請求項４記載の発明は、請求項３記載の発明を用いて下記のように構成されていることを特徴とするものである。
Ａ．左前方のテーブルセット１３と右前方のテーブルセット１４、左後方のテーブルセット１３と右後方のテーブルセット１４とを連結した状態で使用する場合、間仕切り装置３における戸袋兼間仕切り６内に前方間仕切り７と後方間仕切り８を収納した後、右前方のテーブルセット１４と右後方のテーブルセット１４におけるスライドテーブル板のテーブル板を、左前方のテーブルセット１３と左後方のテーブルセット１３に対してスライド当接させ使用する。
Ｂ．左前方のテーブルセット１３と右前方のテーブルセット１４、左後方のテーブルセット１３と右後方のテーブルセット１４とを分離した状態で使用する場合、間仕切り装置３における戸袋兼間仕切り６から前方間仕切り７と後方間仕切り８を引出し使用する。
【０００９】
【発明の実施の形態】
以下、本発明の実施の形態を実施例にもとづき図面を参照して説明する。
１は第１発明のテーブル席における可動式間仕切り装置である。
テーブル席部２と間仕切り装置３から構成されている。
【００１０】
テーブル席部２は、テーブル用スペース群４とテーブルセット５から構成されている。
Ａ．テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成されている。
加えて、左前方のスペース部４Ｂと左中央のスペース部４Ｃとの間に左前植栽台５Ｄ、左中央のスペース部４Ｃと左後方スペース部４Ｄとの間に左後植栽台５Ｄ、右前方のスペース部４Ｅと右中央のスペース部４Ｆとの間に右前植栽台５Ｄ、右中央のスペース部４Ｆと右後方のスペース部４Ｇとの間に右後植栽台５Ｄが配設され、これら植栽台５Ｄは前後壁５Ｄ１、５Ｄ１と左右壁５Ｄ２、５Ｄ２を平面方形に連結して構成されている。
【００１１】
Ｂ．テーブルセット５は、各スペース部４Ｂ、４Ｃ、４Ｄ、４Ｅ、４Ｆ、４Ｇ内における中央に設けられたテーブル５Ａと、このテーブルを中心に設けられた前方の椅子５Ｂと後方の椅子５Ｃから構成されている。
すなわち、左前方のスペース部４Ｂには左前方のテーブルセット５が、左中央のスペース部４Ｃには左中央のテーブルセット５が、左後方のスペース部４Ｄには左後方のテーブルセット５が、右前方のスペース部４Ｅには右前方のテーブルセット５が、右中央のスペース部４Ｆには右中央のテーブルセット５が、右後方のスペース部４Ｇには右後方のテーブルセット５がそれぞれ配置されていることになる。
【００１２】
間仕切り装置３は、間仕切り装置用スペース４Ａに配設された戸袋兼間仕切り６と、前方間仕切り７と、後方間仕切り８と、ロック部９から構成されている。
Ａ．戸袋兼間仕切り６は、左中央のスペース部４Ｃと右中央のスペース部４Ｆとで挟まれた状態で配設されている。
Ｂ．前方間仕切り７は、戸袋兼間仕切り６内から左前方のスペース部４Ｂと右前方のスペース部４Ｅとの間に出入れ自在に構成されている。
Ｃ．後方間仕切り８は、戸袋兼間仕切り６内から左後方のスペース部４Ｄと右後方のスペース部４Ｇとの間に出入れ自在に構成されている。
【００１３】
Ｄ．戸袋兼間仕切り６の詳細を説明する。
ａ．戸袋兼間仕切り６は、戸袋兼間仕切り本体６Ａと、Ｖレール部６Ｂから構成されている。
イ．戸袋兼間仕切り本体６Ａは、左中央のスペース部４Ｃと右中央のスペース部４Ｆとで挟まれた状態で位置する平面前後に長い帯状の底面６Ａ１と、底面の左右辺に起立連結された左右面６Ａ２、６Ａ２と、左右面の上辺に張設された天井面６Ａ３と、左右面の前後辺に張設された前後面６Ａ４、６Ａ５から構成されている。
ロ．前面６Ａ４における右方側には前方間仕切り７が出入りする前方出入り口６Ａ４１が開口され、後面６Ａ５における左方側には後方間仕切り８が出入りする後方出入り口６Ａ５１が開口されている。
ｂ．Ｖレール部６Ｂは、前方間仕切り用Ｖレール６Ｂ１と後方間仕切り用Ｖレール６Ｂ２から構成されている。
イ．前方間仕切り用Ｖレール６Ｂ１は、底面６Ａ１の上面右方に敷設され、当該前方間仕切り用Ｖレールの前端Ｋ１は前面６Ａ４より少し内方に位置し、また、後端Ｋ２は後面６Ａ５より少し内方に位置させると共に、前端Ｋ１にはストッパ６Ｂ１１が突設されている。
ロ．後方間仕切り用Ｖレール６Ｂ２は、底面６Ａ１の上面左方に敷設され、当該後方間仕切り用Ｖレールの前端Ｋ１は前面６Ａ４の少し内方に位置させ、また、後端Ｋ２は後面６Ａ５より少し内方に位置させると共に、この後端Ｋ２にはストッパ６Ｂ２１が突設されている。
【００１４】
Ｅ．前方間仕切り７の詳細を説明する。
ａ．前方間仕切り７は、前方間仕切り本体７Ａと、キャスタ７Ｂと、Ｖレール戸車７Ｃから構成されている。
ｂ．前方間仕切り本体７Ａは、前後に長い方形の仕切り体７Ａ１で構成されている。
ｃ．キャスタ７Ｂは、仕切り体７Ａ１の下面前端に床面を転動するよう取付けられ、また、Ｖレール戸車７Ｃは、仕切り体７Ａ１の下面後端に前方間仕切り用Ｖレール６Ｂ１を転動するよう取付けられている。
そして、このＶレール戸車７Ｃの少し前方位置にはストッパ６Ｂ１１に係脱する突起７Ｃ１が下方に向け取付けられている。
【００１５】
Ｆ．後方間仕切り８の詳細を説明する。
ａ．後方間仕切り８は、後方間仕切り本体８Ａと、キャスタ８Ｂと、Ｖレール戸車８Ｃから構成されている。
ｂ．後方間仕切り本体８Ａは、前後に長い方形の仕切り体８Ａ１で構成されている。
ｃ．キャスタ８Ｂは、仕切り体８Ａ１の下面後端に床面を転動するよう取付けられ、また、Ｖレール戸車８Ｃは、仕切り体８Ａ１の下面前端に前方間仕切り用Ｖレール６Ｂ２を転動するよう取付けられている。
そして、このＶレール戸車８Ｃの少し後方位置にはストッパ６Ｂ２１に係脱する突起８Ｃ１が下方に向け取付けられている。
【００１６】
Ｇ．ロック部９の詳細を説明する。図２１、２２、２３を参照する。
ロック部９は、前方間仕切り用ロック９Ａと後方間仕切り用ロック９Ｂから構成されている。
ａ．前方間仕切り用ロック９Ａは、右前植栽台５Ｄの左壁５Ｄ２の前方に取付けた右左方向に進退する公知の丸棒ラッチ９Ａ１と、前方間仕切り本体７Ａの前後部分に開設された前方受穴９Ａ２と後方受穴９Ａ３から構成されている。
ｂ．後方間仕切り用ロック９Ｂは、左後植栽台５Ｄの右壁５Ｄ２の後方に取付けた左右方向に進退する公知の丸棒ラッチ９Ｂ１と、後方間仕切り本体８Ａの前後部分に開設された前方受穴９Ｂ２と後方受穴９Ｂ３から構成されている。
【００１７】
ｃ．ロック部９の使用状態は下記の通りである。
ｃ１．図２１を参照して、戸袋兼間仕切り６内に収納された前方間仕切り７における前方受穴９Ａ２に丸棒ラッチ９Ａ１を挿入し固定し、後方間仕切り８における後方受穴９Ｂ３に丸棒ラッチ９Ｂ１を挿入し固定する。
ｃ２．図２２、図２３を参照して、戸袋兼間仕切り６から引き出された前方間仕切り７における後方受穴９Ａ３に丸棒ラッチ９Ａ１を挿入し固定し、後方間仕切り８における前方受穴９Ｂ２に丸棒ラッチ９Ｂ１を挿入し固定する。
なお、図は前方間仕切り７を引き出す場合を示している。
【００１８】
第２発明は、第１発明のテーブル席における可動式間仕切り装置１の使用方法で、下記の通り構成されている。
Ａ．戸袋兼間仕切り６内に前方間仕切り７と後方間仕切り８の双方あるいは一方を収納して使用する。
図４は左前方のテーブルセット５と右前方のテーブルセット５を間隔を存して並んだ状態で、また、左後方のテーブルセット５と右後方のテーブルセット５を間隔を存して並んだ状態で使用している場合である。
Ｂ．戸袋兼間仕切り６内から前方間仕切り７と後方間仕切り８の双方あるいは一方を引出して使用する。
図５は左前方のテーブルセット５と右前方のテーブルセット５を分離状態で、また、左後方のテーブルセット５と右後方のテーブルセット５を分離状態で使用している場合である。
【００１９】
１０は第３発明のテーブル席における可動式間仕切り装置である。
テーブル席部１１と間仕切り装置３から構成されている。
【００２０】
テーブル席部１１は、テーブル用スペース群４とテーブルセット１２から構成されている。
Ａ．テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成されている。
加えて、左前方のスペース部４Ｂと左中央のスペース部４Ｃとの間に左前植栽台５Ｄ、左中央のスペース部４Ｃと左後方のスペース部４Ｄとの間に左後植栽台５Ｄ、右前方のスペース部４Ｅと右中央のスペース部４Ｆとの間に右前植栽台５Ｄ、右中央のスペース部４Ｆと右後方のスペース部４Ｇとの間に右後植栽台５Ｄが配設され、これら植栽台５Ｄは前後壁５Ｄ１、５Ｄ１と左右壁５Ｄ２、５Ｄ２を平面方形に連結して構成されている。
【００２１】
Ｂ．テーブルセット１２は、
ａ．左前方のスペース部４Ｂ内に配設された左前方のテーブルセット１３と右前方のスペース部４Ｅ内に配設された右前方のテーブルセット１４、
ｂ．左中央のスペース部４Ｃ内に配設された左中央のテーブルセット１３と右中央のスペース部４Ｆ内に配設された右中央のテーブルセット１５、
ｃ．左後方のスペース部４Ｄ内に配設された左後方のテーブルセット１３と右後方のスペース部４Ｇ内に配設された右後方のテーブルセット１４から構成されている。
【００２２】
間仕切り装置３は、間仕切り装置用スペース４Ａに配設された戸袋兼間仕切り６と、前方間仕切り７と、後方間仕切り８と、ロック部９から構成されている。
間仕切り装置３は第１発明の間仕切り装置３と同一に構成されている。
すなわち、戸袋兼間仕切り６と前方間仕切り７と後方間仕切り８とロック部９は、第１発明の間仕切り装置３と同一に構成されている。
Ａ．左前方のテーブルセット１３、左中央のテーブルセット１３、左後方のテーブルセット１３は、テーブル１３Ａとこのテーブルの前後に配置された適数個の椅子１３Ｂ、１３Ｂ．．から構成されている。
テーブル１３Ａは支脚１３Ａ１とこの支脚の上端に取付けられたテーブル板１３Ａ２から構成されている。
【００２３】
Ｂ．右前方のテーブルセット１４、右後方のテーブルセット１４は、それぞれテーブル１４Ａとこのテーブルの前後に配置された適数個の椅子１４Ｂ、１４Ｂ．．から構成されている。
テーブル１４Ａは、支脚１４Ａ１とこの支脚の上端に取付けられたスライドテーブル板部１４Ｃから構成されている。
そこで、スライドテーブル板部１４Ｃは、水平基板１４Ｃ１とスライドテーブル板１４Ｃ２とストッパ部１４Ｃ３から構成されている。
ｂ１．水平基板１４Ｃ１は、左前方のテーブルセット１３、左中央のテーブルセット１３、左後方のテーブルセット１３におけるテーブル板１３Ａ２の寸法より少し小さい寸法に構成され、かつ支脚１４Ａ１の上端に固定された基板１４Ｃ１１と、基板１４Ｃ１１の下面における前方辺に刻設された前の段欠きＫ１及び後方辺に刻設された後の段欠きＫ２から構成されている。
【００２４】
ｂ２．スライドテーブル板１４Ｃ２は、テーブル板１４Ｃ２１と、前方のテーブル板支持枠１４Ｃ２２と、後方のテーブル板支持枠１４Ｃ２３から構成されている。
ｂ２１．テーブル板１４Ｃ２１は、左前方のテーブルセット１３、左中央のテーブルセット１３、左後方のテーブルセット１３におけるテーブル板１３Ａ２の寸法と同様の寸法に構成された板Ｗ１と、この板Ｗ１の下面外周に添設された枠Ｗ２から構成されている。
ｂ２２．前方のテーブル板支持枠１４Ｃ２２は、水平基板１４Ｃ１における基板１４Ｃ１１の左右の長さと同一長さに構成された細幅板ＨＷ１と、この細幅板ＨＷ１に水平基板１４Ｃ１における前の段欠きＫ１に対応するよう刻設された前方段欠きＫ１１から構成されている。
ｂ２３．後方のテーブル板支持枠１４Ｃ２３は、テーブル板１４Ｃ２１の枠Ｗ２内における左右の長さと同一長さに構成された細幅板ＨＷ２と、この細幅板ＨＷ２に水平基板１４Ｃ１における後の段欠きＫ２に対応するよう刻設された後方段欠きＫ１２から構成されている。
この結果、当然のことながら、後方のテーブル板支持枠１４Ｃ２３の長さは、前方のテーブル板支持枠１４Ｃ２２の長さより（＋Ｌ分）少し長いことになる。
ｂ２４．水平基板１４Ｃ１の上面にスライドテーブル板１４Ｃ２のテーブル板１４Ｃ２１の下面を移動自在の状態で重ね、当該水平基板１４Ｃ１における前の段欠きＫ１に前方のテーブル板支持枠１４Ｃ２２の前方段欠きＫ１１を係合させ、また、後の段欠きＫ２に後方のテーブル板支持枠１４Ｃ２３の後方段欠きＫ１２を係合させたのち、両テーブル板支持枠をスライドテーブル板１４Ｃ２におけるテーブル板１４Ｃ２１にそれぞれ連結させる。
この結果、スライドテーブル板１４Ｃ２を水平基板１４Ｃ１に対して左右にスライドさせることができる。
【００２５】
ｂ３．ストッパ部１４Ｃ３は、ストッパ移動小溝１４Ｃ３１とストッパ本体１４Ｃ３２とストッパ小受け１４Ｃ３３から構成されている。
ｂ３１．ストッパ移動小溝１４Ｃ３１は、水平基板１４Ｃ１の基板１４Ｃ１１に対してスライドテーブル板１４Ｃ２を右方に停止するまで寄せた状態（図３１参照）において、当該基板１４Ｃ１１の右方縁Ｚに沿った状態でスライドテーブル板の前端から後方に向けあり溝状に刻設されている。
ｂ３２．ストッパ本体１４Ｃ３２は、つまみ用の小ブロックＳＢの下端にストッパ移動小溝１４Ｃ３１に移動自在に装着されるあり状部ＡＢが形成されている。
ｂ３３．ストッパ小受け１４Ｃ３３は、水平基板１４Ｃ１の基板１４Ｃ１１に対してスライドテーブル板１４Ｃ２を左方に停止するまで寄せた状態（図３２参照）において、当該スライドテーブル板の前方部分にストッパ本体１４Ｃ３２が挿脱できるよう基板に前向きコ字状に刻設されている。
Ｃ．右中央のテーブルセット１５は、テーブル１５Ａとこのテーブルの前後に配置された椅子１５Ｂ、１５Ｂから構成されている。
テーブル１５Ａは支脚１５Ａ１とこの支脚の上端に取付けられたテーブル板１５Ａ２から構成されている。
【００２６】
第４発明は、第３発明であるテーブル席における可動式間仕切り装置１０の使用方法で、下記の通り構成されている。
左前方のテーブルセット１３と、右前方のテーブルセット１４と、左中央のテーブルセット１３と、右中央のテーブルセット１５と、左後方のテーブルセット１３と、右後方のテーブルセット１４からなるテーブルセット１２と、左中央のテーブルセット１３と右中央のテーブルセット１５との間に間仕切り装置３を配置したものにおいて、
Ａ．左前方のテーブルセット１３と右前方のテーブルセット１４、左後方のテーブルセット１３と右後方のテーブルセット１４とを連結した状態で使用する場合、間仕切り装置３における戸袋兼間仕切り６内に前方間仕切り７と後方間仕切り８を収納した後、右前方のテーブルセット１４と右後方のテーブルセット１４におけるスライドテーブル板のテーブル板を、左前方のテーブルセット１３と左後方のテーブルセット１３に対してスライド当接させ使用する。
ａ．右前方のテーブルセット１４と右後方のテーブルセット１４におけるストッパ部１４Ｃ３、１４Ｃ３のストッパ本体１４Ｃ３２、１４Ｃ３２をストッパ移動小溝１４Ｃ３１、１４Ｃ３１に沿って前方に移動させ解放状態にする。
ｂ．図３２のように、右前方のテーブルセット１４と右後方のテーブルセット１４のスライドテーブル板１４Ｃ２、１４Ｃ２を左方に移動させ、左前方のテーブルセット１３と左後方のテーブルセット１３のテーブル板１３Ａ２、１３Ａ２に当接させたのち、ストッパ本体１４Ｃ３２、１４Ｃ３２を後方に移動させ、ストッパ小受け１４Ｃ３３、１４Ｃ３３内に挿入して固定する。
この結果、左前方のテーブルセット１３と右前方のテーブルセット１４、左後方のテーブルセット１３と右後方のテーブルセット１４とは一体化されることになる。
【００２７】
Ｂ．左前方のテーブルセット１３と右前方のテーブルセット１４、左後方のテーブルセット１３と右後方のテーブルセット１４とを分離した状態で使用する場合、間仕切り装置３における戸袋兼間仕切り６から前方間仕切り７と後方間仕切り８を引出し使用する。
ａ．右前方のテーブルセット１４と右後方のテーブルセット１４のストッパ本体１４Ｃ３２、１４Ｃ３２を前方に移動させストッパ小受け１４Ｃ３３、１４Ｃ３３から離脱させ解放状態にする。
ｂ．図３１のように、右前方のテーブルセット１４と右後方のテーブルセット１４のスライドテーブル板１４Ｃ２、１４Ｃ２を右方に停止するまで移動させたのち、ストッパ本体１４Ｃ３２、１４Ｃ３２をストッパ移動小溝１４Ｃ３１、１４Ｃ３１に沿って後方に移動させ固定状態にする。
ｃ．左前方のテーブルセット１３と右前方のテーブルセット１４との間に戸袋兼間仕切り６から引出した前方間仕切り７を、また、左後方のテーブルセット１３と右後方のテーブルセット１４との間に戸袋兼間仕切り６から引出した後方間仕切り８をそれぞれ起立させる。
この結果、左前方のテーブルセット１３と右前方のテーブルセット１４、左後方のテーブルセット１３と右後方のテーブルセット１４とは分離された状態になる。
【００２８】
以上は、左前方のテーブルセット１３と左後方のテーブルセット１３に対して、右前方のテーブルセット１４と右後方のテーブルセット１４のスライドテーブル板部を同時に移動する場合で説明したが、前方と後方のうち所望する一方のみを移動して使用することができる。
また、左前方のテーブルセット１３と左後方のテーブルセット１３と右前方のテーブルセット１４と右後方のテーブルセット１４の位置については、左前方のテーブルセット１３と左後方のテーブルセット１３を右方に位置させ、右前方のテーブルセット１３と右後方のテーブルセット１４を左方に位置させて使用することができる。
さらに、右前方のテーブルセット１４と右後方のテーブルセット１４を４セットを用意し、このうち２セットを左方に位置させ、他の２セットを右方に位置させて使用することができる。
【００２９】
【発明の効果】
本発明は、上述の通り構成されているので次に記載する効果を奏する。
Ａ．第１発明、第２発明の効果について
ａ．戸袋兼間仕切り６に前方間仕切り７と後方間仕切り８を収納することで、左前方のテーブルセット５と右前方のテーブルセット５を一体化し、左後方のテーブルセット５と右後方のテーブルセット５を一体化して使用することができる。
この場合、上述収納作業を容易かつ確実に行うことができる。
ｂ．逆に、一体化したテーブルセットを極めて簡単な作業により、左前方のテーブルセット５と右前方のテーブルセット５を分離し、左後方のテーブルセット５と右後方のテーブルセット５を分離して使用することができる。
ｃ．この結果、
ｃ１．来客数に対応した席を容易に作ることができる。
すなわち、４名用テーブルセットと４名用テーブルセットの間の前方間仕切り７と後方間仕切り８が可動式であるため８名の来客の時、間仕切りを移動してすぐに８名席を用意できる。
ｃ２．４名ずつでテーブルセットを使うこともでき、顧客を待たせないですむ。
ｃ３．顧客の前で間仕切りを開閉することで、客の数に対応する席数を用意すことができるので、案内がすぐにでき顧客の待機時間が少ない。
ｃ４．待機時間が少ないので待合スペース自体もそれほどの空間を必要とせず、その分、他の空間として活用できる。
ｃ５．間仕切り装置３の構成が比較的単純なので壊れにくく、メンテナンスも行いやすい。
【００３０】
Ｂ．第３発明、第４発明の効果について
ｂ１．第１発明、第２発明での効果を期待できる。
ｂ２．左前方のテーブルセット１３のテーブルに対して右前方のテーブルセット１４のテーブルを、左後方のテーブルセット１３のテーブルに対して右後方のテーブルセット１４のテーブルを左方へスライドすることで両者を一体化することができ、右方へスライドすることで両者を分離することができる。
Ｃ．このほか、安価に製造できる、部品点数が少ないので組立が容易である、経済的である、などの効果をも有するものである。
【図面の簡単な説明】
【図１】全体の配列を説明する略図的平面図である。
【図２】全体の配列を説明する略図的平面図である。
【図３】全体の配列を説明する略図的平面図である。
【図４】全体の配列を説明する略図的斜視図である。
【図５】全体の配列を説明する略図的斜視図である。
【図６】間仕切り装置の斜視図である。
【図７】間仕切り装置を右方から見た１部を切欠いた斜視図である。
【図８】間仕切り装置を左方から見た１部を切欠いた斜視図である。
【図９】前方間仕切りを右方から見た斜視図である。
【図１０】前方間仕切りを左方から見た斜視図である。
【図１１】図９の要部を底面方向から見た斜視図である。
【図１２】図９の要部を底面方向から見た斜視図である。
【図１３】後方間仕切りを右方から見た斜視図である。
【図１４】後方間仕切りを左方から見た斜視図である。
【図１５】図１３の要部を底面方向から見た斜視図である。
【図１６】図１３の要部を底面方向から見た斜視図である。
【図１７】前方間仕切りの作用を説明する１部を省略した縦断面図である。
【図１８】Ａ−Ａ線拡大端面図である。
【図１９】後方間仕切りの作用を説明する１部を省略した縦断面図である。
【図２０】Ｂ−Ｂ線拡大端面図である。
【図２１】前方間仕切りと後方間仕切りを戸袋兼間仕切り本体内に収納した状態を説明する横断面図である。
【図２２】前方間仕切りを戸袋兼間仕切り本体から引き出す状態を説明する横断面図である。
【図２３】前方間仕切りを戸袋兼間仕切り本体から引き出した状態を説明する横断面図である。
【図２４】全体の配列を説明する略図的平面図である。
【図２５】全体の配列を説明する略図的平面図である。
【図２６】全体の配列を説明する略図的平面図である。
【図２７】全体の配列を説明する略図的斜視図である。
【図２８】全体の配列を説明する略図的斜視図である。
【図２９】右方のテーブルセットにおけるテーブルを反転した状態の１部を省略した斜視図である。
【図３０】同上の分解斜視図である。
【図３１】右方のテーブルセットにおいてスライドテーブル板部をスライドさせる前の固定状態を説明するテーブルを反転した状態の１部を省略した平面図である。
【図３２】右方のテーブルセットにおいてスライドテーブル板部をスライドさせた後の固定状態を説明するテーブルを反転した状態の１部を省略した平面図である。
【図３３】Ｃ−Ｃ線拡大断面図である。
【図３４】Ｄ−Ｄ線拡大断面図である。
【図３５】Ｅ−Ｅ線拡大断面図である。
【図３６】Ｆ−Ｆ線拡大断面図である。
【図３７】右方のテーブルセットにおいてスライドテーブル板部をスライドさせる前の状態を示す１部を切欠いた斜視図である。
【図３８】Ｇ−Ｇ線における要部拡大断面図である。
【図３９】右方のテーブルセットにおいてスライドテーブル板部をスライドさせる前の固定状態を示す１部を切欠いた斜視図である。
【図４０】右方のテーブルセットにおいてスライドテーブル板部をスライドさせた後の固定状態を示す１部を切欠いた斜視図である。
【図４１】作用を説明する斜視図である。
【符号の説明】
１  第１発明のテーブル席における可動式間仕切り装置
２  テーブル席部
３  間仕切り装置
４  テーブル用スペース群
５  テーブルセット
６  戸袋兼間仕切り
７  前方間仕切り
８  後方間仕切り
９  ロック部
１０  第３発明のテーブル席における可動式間仕切り装置
１１  テーブル席部
１２  テーブルセット
【図１】
2004169286.tif 000003
【図２】
2004169286.tif 000004
【図３】
2004169286.tif 000005
【図４】
2004169286.tif 000006
【図５】
2004169286.tif 000007
【図６】
2004169286.tif 000008
【図７】
2004169286.tif 000009
【図８】
2004169286.tif 000010
【図９】
2004169286.tif 000011
【図１０】
2004169286.tif 000012
【図１１】
2004169286.tif 000013
【図１２】
2004169286.tif 000014
【図１３】
2004169286.tif 000015
【図１４】
2004169286.tif 000016
【図１５】
2004169286.tif 000017
【図１６】
2004169286.tif 000018
【図１７】
2004169286.tif 000019
【図１８】
2004169286.tif 000020
【図１９】
2004169286.tif 000021
【図２０】
2004169286.tif 000022
【図２１】
2004169286.tif 000023
【図２２】
2004169286.tif 000024
【図２３】
2004169286.tif 000025
【図２４】
2004169286.tif 000026
【図２５】
2004169286.tif 000027
【図２６】
2004169286.tif 000028
【図２７】
2004169286.tif 000029
【図２８】
2004169286.tif 000030
【図２９】
2004169286.tif 000031
【図３０】
2004169286.tif 000032
【図３１】
2004169286.tif 000033
【図３２】
2004169286.tif 000034
【図３３】
2004169286.tif 000035
【図３４】
2004169286.tif 000036
【図３５】
2004169286.tif 000037
【図３６】
2004169286.tif 000038
【図３７】
2004169286.tif 000039
【図３８】
2004169286.tif 000040
【図３９】
2004169286.tif 000041
【図４０】
2004169286.tif 000042
【図４１】
2004169286.tif 000043